(57)【特許請求の範囲】
【請求項１】
セルのタイミング・アドバンス・グループの変化を検出する方法であって、前記タイミング・アドバンス・グループの中の少なくとも１つのセルのタイミング・アドバンス値が無効であるかどうかを判断するステップと、
前記タイミング・アドバンス値が無効であるという判断に基づいて、前記少なくとも１つのセルの前記タイミング・アドバンス・グループが変化したことを判定するステップと
を含み、
少なくとも１つのセルのタイミング・アドバンス値が無効であるかどうかを判断する前記ステップは、前記タイミング・アドバンス値が変化したかどうかを判定するための情報に基づいて、前記少なくとも１つのセルの前記タイミング・アドバンス値が無効であるかどうかを判断するステップを含み、
前記情報は、基地局において判定される、前記少なくとも１つのセルの中のユーザ機器のアップリンク伝送損失率を含む方法。
【請求項２】
前記情報は、
前記ユーザ機器から受信される異なる周波数のダウンリンク・セル基準信号の品質報告と、
前記ユーザ機器から受信される異なる周波数の前記ダウンリンク・セル基準信号の受信時間差報告と
のうちの少なくとも１つを含む、請求項１に記載の方法。
【請求項３】
前記少なくとも１つのセルのタイミング・アドバンス値が無効であるかどうかを判断する前記ステップは、前記少なくとも１つのセルの前記タイミング・アドバンス値が既に無効であることを判断する指示を前記ユーザ機器から受信するステップを含む、請求項１に記載の方法。
【請求項４】
前記セルは一次セルであり、前記方法は、前記一次セルの前記タイミング・アドバンス・グループが変化したことを判定するステップに応じて、
スイッチング・プロシージャまたは非スイッチング・プロシージャによって前記一次セルの変更プロシージャをトリガするオペレーションと、
新しいタイミング・アドバンス値を取得するために前記一次セルの上で物理的ランダム・アクセス・チャネル・プロシージャをトリガするオペレーションと
のうちの１つを実行するステップをさらに含む、または、
前記セルは二次セルであり、前記方法は、前記二次セルの前記タイミング・アドバンス・グループが変化したことを判定する前記ステップに応じて、
前記現在の二次セルを解放し、前記現在の二次セルと同じ周波数において新しい二次セルを構成するオペレーションと、
新しいタイミング・アドバンス・グループ指示情報を用いて前記現在の二次セルを構成するオペレーションと、
新しいタイミング・アドバンス値を取得するために、前記二次セルの上で物理的ランダム・アクセス・チャネル・プロシージャをトリガするオペレーションと
のうちの１つを実行するステップをさらに含む、請求項１に記載の方法。
【請求項５】
前記現在の二次セルを解放し、前記現在の二次セルと同じ周波数において新しい二次セルを構成する前記オペレーションは、
前記新しい二次セルが属する前記新しいタイミング・アドバンス・グループが、有効なタイミング・アドバンス値を有するかどうかを判定すること、
前記新しいタイミング・アドバンス・グループが前記有効なタイミング・アドバンス値を有するという判定に応じて、前記新しい二次セルをアクティブにすること、および
前記新しいタイミング・アドバンス・グループが有効なタイミング・アドバンス値を有さないという判定に応じて、前記新しい二次セルをアクティブにし、新しいタイミング・アドバンス値を取得するために前記新しい二次セルの上で物理的ランダム・アクセス・チャネル・プロシージャをトリガすること
を含む、請求項４に記載の方法。
【請求項６】
新しいタイミング・アドバンス・グループ指示情報を用いて前記現在の二次セルを構成する前記オペレーションは、
前記現在の二次セルが属する前記新しいタイミング・アドバンス・グループが有効なタイミング・アドバンス値を有するかどうかを判定すること、
前記新しいタイミング・アドバンス・グループが前記有効なタイミング・アドバンス値を有するという判定に応じて、前記有効なタイミング・アドバンス値を用いてアップリンク伝送を実行するように前記ユーザ機器に指示すること、および
前記新しいタイミング・アドバンス・グループが有効なタイミング・アドバンス値を有さないという判定に応じて、新しいタイミング・アドバンス値を取得するために、前記現在の二次セルの上で前記物理的ランダム・アクセス・チャネル・プロシージャをトリガするまで、前記アップリンク伝送を停止するように前記ユーザ機器に指示すること
を含む、請求項４に記載の方法。
【請求項７】
新しいタイミング・アドバンス値を取得するために前記二次セルの上で物理的ランダム・アクセス・チャネル・プロシージャをトリガする前記オペレーションは、
前記新しいタイミング・アドバンス値が、既存のタイミング・アドバンス・グループの前記タイミング・アドバンス値と同じであるかどうかを判定すること、
前記新しいタイミング・アドバンス値が前記既存のタイミング・アドバンス・グループの前記タイミング・アドバンス値と同じであるという判定に応じて、前記二次セルを前記既存のタイミング・アドバンス・グループへと再構成すること、および
前記新しいタイミング・アドバンス値が前記既存のタイミング・アドバンス・グループの前記タイミング・アドバンス値とは異なるという判定に応じて、前記新しいタイミング・アドバンス値に基づいて新しいタイミング・アドバンス・グループをセットアップし、前記二次セルを前記新しいタイミング・アドバンス・グループへと再構成すること
を含む、請求項４に記載の方法。
【請求項８】
セルのタイミング・アドバンス・グループの変化を検出するための装置であって、
前記タイミング・アドバンス・グループの中の少なくとも１つのセルのタイミング・アドバンス値が無効であるかどうかを判断するように構成された判断モジュールと、
前記タイミング・アドバンス値が無効であるという判断に基づいて、前記少なくとも１つのセルの前記タイミング・アドバンス・グループが変化したことを判定するように構成された判定モジュールと
を備え、前記判断モジュールは、前記タイミング・アドバンス値が変化したかどうかを判定するための情報に基づいて、前記少なくとも１つのセルの前記タイミング・アドバンス値が無効であるかどうかを判断するように構成されたモジュールを備え、
前記情報は、基地局において判定される、前記少なくとも１つのセルの中のユーザ機器のアップリンク伝送損失率を含む装置。
【請求項９】
前記情報は、
前記ユーザ機器から受信される異なる周波数のダウンリンク・セル基準信号の品質報告と、
前記ユーザ機器から受信される異なる周波数の前記ダウンリンク・セル基準信号の受信時間差報告と
のうちの少なくとも１つを含む、請求項８に記載の装置。
【請求項１０】
前記少なくとも１つのセルのタイミング・アドバンス値が無効であるかどうかを判断するように構成された前記判断モジュールは、前記少なくとも１つのセルの前記タイミング・アドバンス値が既に無効であることを判断する指示を前記ユーザ機器から受信するように構成されたモジュールを備える、請求項８に記載の装置。
【請求項１１】
前記セルは、一次セルであり、また前記装置は、前記一次セルの前記タイミング・アドバンス・グループが変化したという判定に応じて、以下のオペレーションのうちの１つを実行するように構成された以下のモジュール、すなわち、
スイッチング・プロシージャまたは非スイッチング・プロシージャによって前記一次セルの変更プロシージャをトリガするように構成されたモジュールと、
新しいタイミング・アドバンス値を取得するために前記一次セルの上で物理的ランダム・アクセス・チャネル・プロシージャをトリガするように構成されたモジュールと
のうちの１つをさらに備える、または、
前記セルは二次セルであり、前記装置は、前記二次セルの前記タイミング・アドバンス・グループが変化したという判定に応じて、以下のオペレーションのうちの１つを実行するように構成された以下のモジュール、すなわち、
前記現在の二次セルを解放するように構成され、前記現在の二次セルと同じ周波数において新しい二次セルを構成するモジュールと、
新しいタイミング・アドバンス・グループ指示情報を用いて前記現在の二次セルを構成するように構成されたモジュールと、
新しいタイミング・アドバンス値を取得するために、前記二次セルの上で物理的ランダム・アクセス・チャネル・プロシージャをトリガするように構成されたモジュールと
のうちの１つをさらに備える、請求項８に記載の装置。
【請求項１２】
前記現在の二次セルを解放するように構成され、前記現在の二次セルと同じ周波数において新しい二次セルを構成するように構成された前記モジュールは、
前記新しい二次セルが属する前記新しいタイミング・アドバンス・グループが、有効なタイミング・アドバンス値を有するかどうかを判定するように構成されたモジュールと、
前記新しいタイミング・アドバンス・グループが前記有効なタイミング・アドバンス値を有するという判定に応じて、前記新しい二次セルをアクティブにするように構成されたモジュールと、
前記新しいタイミング・アドバンス・グループが有効なタイミング・アドバンス値を有さないという判定に応じて、前記新しい二次セルをアクティブにし、新しいタイミング・アドバンス値を取得するために、前記新しい二次セルの上で物理的ランダム・アクセス・チャネル・プロシージャをトリガするように構成されたモジュールと
を備える、請求項１１に記載の装置。
【請求項１３】
新しいタイミング・アドバンス・グループ指示情報を用いて前記現在の二次セルを構成するように構成された前記モジュールは、
前記現在の二次セルが属する前記新しいタイミング・アドバンス・グループが、有効なタイミング・アドバンス値を有するかどうかを判定するように構成されたモジュールと、
前記新しいタイミング・アドバンス・グループが前記有効なタイミング・アドバンス値を有するという判定に応じて、前記有効なタイミング・アドバンス値を用いてアップリンク伝送を実行するように前記ユーザ機器に示すように構成されたモジュールと、
前記新しいタイミング・アドバンス・グループが有効なタイミング・アドバンス値を有さないという判定に応じて、新しいタイミング・アドバンス値を取得するために、前記現在の二次セルの上で前記物理的ランダム・アクセス・チャネル・プロシージャをトリガするまで、前記アップリンク伝送を停止するように前記ユーザ機器に指示するように構成されたモジュールと
を備える、請求項１１に記載の装置。
【請求項１４】
請求項８乃至１３のいずれか１項に記載の装置を備える、ワイヤレス通信のための基地局。
【請求項１５】
請求項８に記載の装置を備える、ワイヤレス通信のためのユーザ機器。
【発明の詳細な説明】
【技術分野】
【０００１】
本発明の実施形態は、一般に、ワイヤレス通信に関し、より詳細には、セルのタイミング・アドバンス（「ＴＡ」と省略される）グループの変化を検出するための方法および装置に関する。
【背景技術】
【０００２】
ピーク速度（ｐｅａｋ  ｒａｔｅ）を改善し、ＬＥＴシステムに対する互換性を達成し、またスペクトル・リソースを十分に活用するために、現在のＬＴＥ−Ａ（ロング・ターム・エボリューション−アドバンスト）は、キャリア・アグリゲーション技術を導入している。キャリア・アグリゲーションを導入したシステムにおいては、ユーザ機器（ＵＥ：ｕｓｅｒ  ｅｑｕｉｐｍｅｎｔ）のアップリンクおよびダウンリンクは、複数のコンポーネント・キャリア（ＣＣ：ｃｏｍｐｏｎｅｎｔ  ｃａｒｒｉｅｒｓ）を有する複数のセルを通して基地局（ＢＳまたはｅノードＢ（ｅＮｏｄｅＢ）とも呼ばれる）と通信することができる。一般に、ＵＥが機能する複数のセルは、一次セル（略して「Ｐセル」）と、複数の二次セル（略して「Ｓセル」）とを備える。１つのＵＥに関して、基地局が、ある種のセル間で１つのＴＡ値を共用することができると判定する場合、これらのセルは、１つのＴＡグループへと分類される可能性がある。
【０００３】
図１は、上記のキャリア・アグリゲーション技術を利用したワイヤレス通信システムのシナリオを概略的に示すものである。図１に示されるように、基地局は、２つの周波数バンド（またはセル）Ｆ１およびＦ２をサポートし、そこではＦ１セルは、大規模のカバレッジ範囲を提供しており、また一次セルとして仮定されるのに対して、Ｆ２セルは、小規模のカバレッジ範囲を提供しており、また二次セルとして仮定される。Ｆ２セルのカバレッジ範囲は、周波数選択的リピータによって拡大されることもある。
【０００４】
このシナリオにおいては、ＵＥが、Ｆ１セルとＦ２セルとによって一緒にカバーされ、また基地局の近くにある領域に位置するときに、Ｆ１セルとＦ２セルとは、同じＴＡ値を使用しており、したがってＦ１セルとＦ２セルとは、同じＴＡグループに属すると考えられ得る。ＵＥが、基地局から遠く離れて移動し、またリピータのカバレッジ範囲に位置しているときに、Ｆ１セルとＦ２セルとは、統合されることもある。しかしながら、基地局からのＵＥの距離は、リピータからのＵＥの距離とは異なるので、Ｆ１セルとＦ２セルとのアップリンクＴＡ値は、異なっており、その結果、Ｆ１セルとＦ２セルとは、異なるＴＡグループに属することになる。
【０００５】
上記の例示のシナリオにおいては、ＵＥの一定の運きまたは他の原因に起因して、ＵＥの現在の二次セルは、異なるＴＡグループに属する可能性があり、その結果、ＵＥは、異なる新しいＴＡ値を使用し、これは、必然的に、ＴＡグループの変化の問題を伴う。どのようにして、そのようなＴＡグループの変化を検出し、またその後にそのようなＴＡグループの変化をサポートするかは、当技術分野において解決される必要がある問題である。
【発明の概要】
【発明が解決しようとする課題】
【０００６】
本発明の一目的は、セルのタイミング・アドバンス・グループの変化を効果的に検出し、またタイミング・アドバンス・グループの変化についてのその後の良好なサポートを提供するために、上記技術的問題に対処し、またセルのタイミング・アドバンス・グループの変化を検出するための方法および装置を提供することである。
【課題を解決するための手段】
【０００７】
本発明の上記目的を達成するために、本発明の一態様によれば、セルのタイミング・アドバンス・グループの変化を検出する方法であって、タイミング・アドバンス・グループの中の少なくとも１つのセルのタイミング・アドバンス値が無効であるかどうかを判断するステップと、タイミング・アドバンス値が無効であるという判断に基づいて、少なくとも１つのセルのタイミング・アドバンス・グループが変化したことを判定するステップとを含む方法が提供される。
【０００８】
一実施形態においては、少なくとも１つのセルのタイミング・アドバンス値が無効であるかどうかを判断するステップは、タイミング・アドバンス値が変化したかどうかを判定するための情報に基づいて、少なくとも１つのセルのタイミング・アドバンス値が無効であるかどうかを判断するステップを含む。
【０００９】
一実施形態においては、タイミング・アドバンス値が変化したかどうかを判定するための情報は、基地局において判定される少なくとも１つのセルの中のユーザ機器のアップリンク伝送損失率（ｕｐｌｉｎｋ  ｔｒａｎｓｍｉｓｓｉｏｎ  ｌｏｓｓ  ｒａｔｅ）と、ユーザ機器から受信される異なる周波数についてのダウンリンク・セル基準信号の品質報告と、ユーザ機器から受信される異なる周波数についてのダウンリンク・セル基準信号の受信時間差報告（ｒｅｃｅｉｖｉｎｇ  ｔｉｍｅ  ｄｉｆｆｅｒｅｎｃｅ  ｒｅｐｏｒｔｓ）とのうちの少なくとも１つを含む。
【００１０】
さらなる一実施形態においては、少なくとも１つのセルのタイミング・アドバンス値が無効であるかどうかを判断するステップは、少なくとも１つのセルのタイミング・アドバンス値が既に無効であることを判断する指示をユーザ機器から受信するステップを含む。
【００１１】
別の実施形態においては、セルが一次セルであるときに、本方法は、一次セルのタイミング・アドバンス・グループが変化したことを判定するステップに応じて、スイッチング・プロシージャまたは非スイッチング・プロシージャにより一次セル変化プロシージャをトリガするオペレーションと、新しいタイミング・アドバンス値を取得するために一次セルの上で物理的ランダム・アクセス・チャネル・プロシージャをトリガするオペレーションとのうちの１つを実行するステップをさらに含む。
【００１２】
一実施形態においては。セルは二次セルであり、また本方法は、二次セルのタイミング・アドバンス・グループが変化したことを判定するステップに応じて、現在の二次セルを解放し、現在の二次セルと同じ周波数において新しい二次セルを構成するオペレーションと、新しいタイミング・アドバンス・グループ指示情報を用いて現在の二次セルを構成するオペレーションと、新しいタイミング・アドバンス値を取得するために二次セルの上で物理的ランダム・アクセス・チャネル・プロシージャをトリガするオペレーションとのうちの１つを実行するステップをさらに含む。
【００１３】
さらなる実施形態においては、現在の二次セルを解放し、現在の二次セルと同じ周波数において新しい二次セルを構成するオペレーションは、新しい二次セルが属する新しいタイミング・アドバンス・グループが有効なタイミング・アドバンス値を有するかどうかを判定すること、新しいタイミング・アドバンス・グループが有効なタイミング・アドバンス値を有するという判定に応じて、新しい二次セルをアクティブにすること、および新しいタイミング・アドバンス・グループが有効なタイミング・アドバンス値を有さないという判定に応じて、新しい二次セルをアクティブにし、新しいタイミング・アドバンス値を取得するために新しい二次セルの上で物理的ランダム・アクセス・チャネル・プロシージャをトリガすることを含む。
【００１４】
一実施形態においては、新しいタイミング・アドバンス・グループ指示情報を用いて現在の二次セルを構成するオペレーションは、現在の二次セルが属する新しいタイミング・アドバンス・グループが有効なタイミング・アドバンス値を有するかどうかを判定すること、新しいタイミング・アドバンス・グループが有効なタイミング・アドバンス値を有するという判定に応じて、有効なタイミング・アドバンス値を用いてアップリンク伝送を実行するようにユーザ機器に指示すること、および新しいタイミング・アドバンス・グループが有効なタイミング・アドバンス値を有さないという判定に応じて、新しいタイミング・アドバンス値を取得するために、現在の二次セルの上で物理的ランダム・アクセス・チャネル・プロシージャをトリガするまで、アップリンク伝送を停止するようにユーザ機器に指示することを含む。
【００１５】
別の実施形態においては、新しいタイミング・アドバンス値を取得するために二次セルの上で物理的ランダム・アクセス・チャネル・プロシージャをトリガするオペレーションは、新しいタイミング・アドバンス値が、既存のタイミング・アドバンス・グループのタイミング・アドバンス値と同じであるかどうかを判定すること、新しいタイミング・アドバンス値が、既存のタイミング・アドバンス・グループのタイミング・アドバンス値と同じであるという判定に応じて、二次セルを既存のタイミング・アドバンス・グループへと再構成すること、および新しいタイミング・アドバンス値が既存のタイミング・アドバンス・グループのタイミング・アドバンス値とは異なるという判定に応じて、新しいタイミング・アドバンス値に基づいて新しいタイミング・アドバンス・グループをセットアップし、二次セルを新しいタイミング・アドバンス・グループへと再構成することを含む。
【００１６】
本発明の別の態様によれば、セルのタイミング・アドバンス・グループの変化を検出するための装置であって、タイミング・アドバンス・グループの中の少なくとも１つのセルのタイミング・アドバンス値が無効であるかどうかを判断するように構成された判断モジュールと、タイミング・アドバンス値が無効であるという判断に基づいて、少なくとも１つのセルのタイミング・アドバンス・グループが変化したことを判定するように構成された判定モジュールとを備える装置が提供される。
【００１７】
本発明のさらなる一態様によれば、上記装置を備えるワイヤレス通信のための基地局とユーザ機器とが、提供される。
【００１８】
本発明の方法および装置によれば、セルのタイミング・アドバンス・グループの変化は、セルのタイミング・アドバンス値が無効であるかどうかを判定することにより検出することができ、またタイミング・アドバンス・グループが変化したことを検出した後に、タイミング変化が起きるセルのタイミング・アドバンス値とタイミング・アドバンス・グループとのアップデートは、上記複数のステップおよびモジュールによって実施される。
【００１９】
本発明の実施形態の特徴、利点および他の態様は、図面と組み合わせて、また以下の詳細な説明を参照してより明らかになるであろう。
【図面の簡単な説明】
【００２０】
【図１】本発明のいくつかの実施形態がシナリオに対して適用され得る、キャリア・アグリゲーション技術を利用したワイヤレス通信システムのシナリオを概略的に示す図である。
【図２】本発明の一実施形態による、セルのＴＡグループの変化を検出するための方法のフローチャートを概略的に示す図である。
【図３】本発明の別の実施形態による、セルのＴＡグループの変化を検出するための方法のフローチャートを概略的に示す図である。
【図４】一次セルの中のＴＡグループが、本発明の一実施形態に従って変化したときに実行されるような方法のフローチャートを概略的に示す図である。
【図５】二次セルの中のＴＡグループが、本発明の別の実施形態に従って変化したときに実行されるような方法のフローチャートを概略的に示す図である。
【図６】本発明の一実施形態による、セルのＴＡグループの変化を検出するための装置のブロック図を概略的に示す図である。
【発明を実施するための形態】
【００２１】
本発明の実施形態は、セルのＴＡグループの変化が起きるかどうかにかかわらず、すなわち、セルが既にもはや現在のＴＡグループに属していないかどうかにかかわらず、ＴＡグループに属するセルの現在のＴＡ値が無効であるかどうかを判定することによって判定を行う。いくつかの実施形態においては、セルの現在のタイミング値が、無効であるかどうかは、ＴＡ値が変化したかどうかを判定するための情報に基づいて基地局によって判定される。いくつかの他の実施形態においては、ユーザ機器は、ＴＡ値が変化したかどうかを判定するための情報を基地局に対して提供し、また基地局は、上記判定を行い、あるいはユーザ機器は、ＴＡ値が変化したかどうかを示す判定指示を基地局に直接に提供する。セルのＴＡグループが、検出され、または変化しているものとして判定された後に、本発明のいくつかの実施形態は、さらに、一次セルのＴＡグループと、二次セルのＴＡグループとのＴＡ変化に関してそれぞれ実行されるその後の対応する処理を提供する。
【００２２】
本発明の実施形態は、図面を参照して詳細に説明される。
【００２３】
図１は、本発明のいくつかの実施形態が、シナリオに対して適用され得る、キャリア・アグリゲーション技術を利用したワイヤレス通信システムのシナリオを概略的に示すものである。本発明の背景は、すでにこれに関して概略の説明を与えているので、さらなる説明は、ここでは与えられないであろう。
【００２４】
図２は、本発明の一実施形態による、セルのＴＡグループの変化を検出するための方法２００のフローチャートを概略的に示すものである。本方法２００は、ステップＳ２０１から開始され、またステップＳ２０２へと進む。ステップＳ２０２において、本方法２００は、ＴＡグループにおける少なくとも１つのセルのＴＡ値が、無効であるかどうかを判断する。次いで、本方法２００は、ステップＳ２０３へと進み、ここで本方法は、少なくとも１つのセルのＴＡグループが、ＴＡ値が無効であるという判断に基づいて変化したことを判定する。最後に、本方法２００は、ステップ２０４において終了する。本方法２００を用いて、ユーザ機器が現在位置しているセルのＴＡグループが変化したかどうかが、基地局またはユーザ機器において検出される可能性がある。
【００２５】
図３は、本発明の別の実施形態による、セルのＴＡグループの変化を検出するための方法３００のフローチャートを概略的に示すものである。本方法３００は、ステップＳ３０１から開始され、またステップＳ３０２へと進む。ステップＳ３０２において、本方法３００は、ＴＡグループにおける少なくとも１つのセルのＴＡ値が、ＴＡ値が変化したかどうかを判定するための情報に基づいて、無効であるかどうかを判定する。
【００２６】
一実施形態においては、ＴＡ値が変化したかどうかを判定するための情報は、基地局それ自体によって取得される情報とすることができ、例えば、基地局は、現在のＵＥが機能するセルのＴＡ値が、ＵＥのアップリンク伝送損失率を検出することにより変化したかどうかを判定することができる。ＵＥが、実質的に伝送遅延に関して変化し、またアップリンク伝送の損失を引き起こすときに、基地局は、この状況を検出することができる。ＵＥのアップリンク伝送の損失が所定の期間において逐次的に何回も起きる場合、基地局は、ＵＥに現在サービスしているセルのＴＡ値が変化していることを判定することができ、すなわち、ＴＡグループの変化が現在のセルにおいて起き、またＴＡ値が既に無効になっていることを検出することができる。この実施形態においては、基地局は、ＵＥにサービスしているセルの現在のＴＡ値が、もはや有効ではなく、または既に無効であることを知っているだけであるが、基地局は、ＵＥのロケーションについては知らない。それゆえに、基地局は、ＵＥが現在位置しているセルのＴＡグループが、新しいＴＡグループに属しているか、または既に存在しているＴＡグループに属しているかを確認することができない。別の実施形態においては、ＴＡ値が変化したかどうかを判定するための情報は、二次セルの中のＵＥによって受信される情報とすることができる。
【００２７】
一実施形態においては、二次セルの中のＵＥによって受信される情報は、ＵＥによって測定され、また基地局に対して報告される、異なる周波数におけるダウンリンク・セルの基準信号（ｃｅｌｌ  ｒｅｆｅｒｅｎｃｅ  ｓｉｇｎａｌｓ）（略して「ＣＲＳ」）とすることができ、また次いで、基地局は、新しいＵＥの動作を規定することなく、それらの基準信号に基づいて、ＵＥが、ある種の位置に位置しているか、またはある種のカバレッジ範囲、例えば、図１に関連して説明されるようなリピータのカバレッジ範囲に位置しているかを判定することができる。
【００２８】
図１に示されるシナリオを一例として取り上げると、ＵＥが、基地局の近くにあるが、リピータのカバレッジ範囲の外側にあるときに、セルＦ１とＦ２との両方の上で測定されるＣＲＳは、良好な品質（例えば、ある種の所定の品質しきい値よりも上）であり、また測定値は、類似している可能性がある。ＵＥが、基地局から遠く離れており、またリピータのカバレッジ範囲に位置しているときに、Ｆ１セルの上で測定されるＣＲＳは、低品質（ある種の所定のしきい値よりも下）であるのに対して、Ｆ２セルの上で測定されるＣＲＳは、Ｆ２セルの上で測定されるＣＲＳが、リピータによって転送されるので、依然として良好な品質のままである。この時に、基地局は、Ｆ１セルとＦ２セルとが、異なるＴＡグループに属するべきことを判定し、それゆえにセルのＴＡグループの変化の発生を検出することができる。
【００２９】
一実施形態においては、二次セルの中でＵＥによって受信される情報は、ＵＥによって測定され、また基地局に対して報告されるダウンリンクＣＲＳ受信時間差とすることができる。この実施形態においては、ＵＥは、異なる周波数においてダウンリンクＣＲＳ受信時間差を判定し、またそれらを基地局に対して報告することができる。ダウンリンクＣＲＳ受信時間差が、比較的小さい場合、基地局は、これらの周波数が、類似したワイヤレス経路を有し、またそれゆえに同じＴＡグループに属することを判定することができる。しかしながら、ダウンリンクＣＲＳ受信時間差が、比較的に大きい（例えば、ある種の所定のしきい値よりも上）場合、基地局は、これらの周波数（例えば図１におけるＦ１およびＦ２）が、異なるＴＡグループに属するべきことを判定し、またそれゆえにセルのＴＡグループが変化したことを判定することができる。この実施形態においては、基地局は、ＵＥのロケーションを知っており、またそれゆえにＵＥが現在位置しているセルのＴＡグループが、新しいＴＡグループに属するか、または既に存在しているＴＡグループに属するかを判定することができる。
【００３０】
二次セルの中でＵＥによって受信される情報を使用して、ＴＡ値が変化したかどうかを判定する上記実施形態においては、基地局が、ＵＥのロケーションを既に知っている場合に、基地局は、対応するＴＡグループが、新しいＴＡグループに属するべきか、または既に存在しているＴＡグループに属するべきかを判定することができる。
【００３１】
別の実施形態においては、少なくとも１つのセルのタイミング・アドバンス値が、無効であるかどうかを判定するステップは、ＵＥから、少なくとも１つのセルのタイミング・アドバンス値が、既に無効であることを判定する指示を受信するステップを含む。例えば、ＵＥは、基地局に対して、アップリンク伝送損失率についての指示、またはセル・ダウンリンク・タイミング変化についての指示を送信することができる。特に、ＵＥは、アップリンク伝送についてのＡＣＫ／ＮＡＣＫを受信しない（物理的ダウンリンク制御チャネルＰＤＣＣＨ（ｐｈｙｓｉｃａｌ  ｄｏｗｎｌｉｎｋ  ｃｏｎｔｒｏｌ  ｃｈａｎｎｅｌ）は、依然としてＵＥによって受信されることもある）とすぐに、アップリンク伝送についての損失を検出することができ、あるいはＵＥは、一次セルまたは二次セルの以前のダウンリンクと、新しいダウンリンクとの受信時間の間の突然の変化を検出することができる。例えば、検出は、所定の期間において失われるＡＣＫ／ＮＡＣＫの数が、所定のしきい値を超過しているかどうかに基づいて行われることもある。失われたＡＣＫ／ＮＡＣＫの数が、所定のしきい値を超過する場合、ＵＥは、ＴＡ値が、既に変化したという結論を引き出すことができる。上記検出に基づいて、ＵＥは、変化の発生を示す情報を基地局に対して報告することができ、その結果、基地局は、後で詳細に述べられるように、その後ＴＡグループ・アップデート処理を実行する。
【００３２】
図３に戻って参照すると、ステップＳ３０２の完了のすぐ後に、ステップＳ３０３において、本方法３００は、ＴＡ値が無効であるという判定された結果に応じて、セルのＴＡグループの変化を判定する。最後に、本方法３００は、ステップＳ３０４において終了する。
【００３３】
本発明による、セルのＴＡグループの変化を検出するいくつかの実施形態が、図１から図３を参照して既に説明された後に、ＴＡ値が無効であることを判定し、またそれゆえにＴＡグループの変化を判定した後にＴＡグループ・アップデート処理をどのようにして実行すべきかについて考察が行われることになる。上記で述べられるように、ＴＡグループのＴＡ値の変化の発生のすぐ後に、基地局は、以下の２つの可能な状況と直面することになる。
【００３４】
状況１：基地局は、ＴＡ値が変化させられることを判定するが、基地局は、ＵＥのロケーションを判定することができない。状況２：ＴＡ値が、無効になるときに、基地局は、ＵＥのロケーションを判定することができる。２つの状況は、一次セルのＴＡグループと、二次セルのＴＡグループとの両方について起きることになる。以下では、一次セルのＴＡグループと、二次セルのＴＡグループとのＴＡ変化が、起きるときに別々に実施されることになる方法が、図４と図５とを参照して説明されることになる。
【００３５】
図４は、ＴＡ変化が、本発明の一実施形態に従って一次セルのＴＡグループにおいて起きるときに実施され得る方法４００のフローチャートを概略的に示すものである。ここで、一次セルのＴＡ値の変化は、現在の一次セルが、もはやＵＥにサービスしないことになることを意味する。図に示されるように、本方法４００は、ステップＳ４０１から開始され、またステップＳ４０２において、一次セルの変化プロシージャは、スイッチング・プロシージャ、または非スイッチング・プロシージャによってトリガされる。代わりに、ステップＳ４０３において、物理的ランダム・アクセス・プロシージャが、一次セルの上でトリガされて、新しいタイミング・アドバンス値を取得する。次いで、本方法４００は、ステップＳ４０４において終了する。
【００３６】
ステップＳ４０２におけるスイッチング・プロシージャに関しては、それは、一次セルが、変化するようにトリガする基地局の新しいモードとしての役割を果たすことができる。一次セルの変化が、スイッチングによってトリガされるときに、データの損失が引き起こされる可能性があり、またすべての二次セルは、再構成される必要がある。ステップＳ４０２における非スイッチング・プロシージャに関しては、基地局は、新しいセルを一次セルとして構成し、またそれゆえに物理的アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）や半持続性スケジューリング（ＳＰＳ：ｓｅｍｉ−ｐｅｒｓｉｓｔｅｎｔ  ｓｃｈｅｄｕｌｉｎｇ）などのリソースを含む対応する一次セルに関連したリソースをＵＥのために構成することができる。新しいセルは、既に存在しているセル、または新しく構成されたセルとすることができる。
【００３７】
ステップＳ４０３に関しては、基地局が、一次セルのＴＡグループが変化したことを検出するときに、基地局またはＵＥは、一次セルの上で物理的ランダム・アクセス・チャネル（ＰＲＡＣＨ）をトリガして、再びアップリンクの時間的整合を達成し、また新しいＴＡ値を取得することができる。ここで、そのオペレーションは、新しいＰＲＡＣＨトリガリング・メカニズムとして見なされる可能性がある。新しいＴＡ値を取得する前に、ＵＥは、それらのＴＡ値が、無効であるか否かにかかわらず、例えば、それらのＳＲＳ構成が、ＲＲＣ（無線リソース制御）メッセージによって解放されるか、またはそれらが、媒体アクセス制御の制御要素（ＭＡＣ  ＣＥ：ｍｅｄｉａ  ａｃｃｅｓｓ  ｃｏｎｔｒｏｌ  ｃｏｎｔｒｏｌ  ｅｌｅｍｅｎｔ）に基づく制御信号方式によって非アクティブにされるかにかかわらず、すべての他の二次セルの上でアップリンク・オペレーションを停止させるべきことに注意すべきである。新しい有効なＴＡが、一次セルのＴＡグループについて再開された後に、基地局は、ＳＲＳを再構成し、またはそれらをもう一度アクティブにすることができる。他方、ステップＳ４０３の実行が失敗し、すなわち、新しいタイミング・アドバンス値が、取得されない場合、ステップＳ４０２は依然として最終的に実行されて、新しい一次セル選択についてＲＲＣ接続を再確立する。
【００３８】
図５は、ＴＡ変化が、本発明の別の実施形態に従って二次セルのＴＡグループの中で起きるときに実施されることになる方法５００のフローチャートを概略的に示すものである。ここで、本方法５００を説明することに先立って、上記で述べられるように、一次セルのＴＡグループについての有効性は、すべての他の二次セルのＴＡグループについてのオペレーションに影響を及ぼすことになることを最初に強調すべきである。反対に、二次セルのＴＡグループについての有効性は、一次セルのグループについてのオペレーションに影響を及ぼさないであろう。また上記で述べられるように、二次セルのＴＡ値が変化するときに２つの状況が存在しており、すなわち、基地局が、ＵＥの位置を知っている状況、またはＵＥの位置を知らない状況とが、存在しており、すなわち、基地局が、対応する二次セルを既に知っているか否かにかかわらず、ＴＡグループが、新しいＴＡグループに属することになるか、または既存のＴＡグループに属することになるかである。
【００３９】
上記の状況を考慮して、本方法５００は、ステップＳ５０１から開始され、また次いでステップＳ５０２、Ｓ５０３またはＳ５０４においてそれぞれ実行されるような３つの異なる種類のオペレーションを有する二次セルのＴＡグループ・アップデート状況に対処する。
【００４０】
ステップＳ５０２において、本方法５００は、現在の二次セルを解放し、また現在の二次セルと同じ周波数において新しい二次セルを構成し、例えば、このオペレーションは、ＲＲＣメッセージによって実行されることもある。このステップの実施にあたっては、二次のＴＡグループが変化したときに、基地局が、ＵＥの位置を既に知っているかどうかを無視することができる。
【００４１】
ステップＳ５０３において、本方法５００は、新しいＴＡグループの指示を用いて現在の二次セルを再構成する。基地局が、ＵＥの位置、およびネットワーク展開、例えば、ネットワーク周波数情報を既に知っているときには、それらの周波数が、リピータによって転送されるか、またはそれらが基地局などに直接に到達するかにかかわらず、このステップは、実行される可能性がある。
【００４２】
ステップＳ５０４において、本方法５００は、二次セルの上で物理的ランダム・アクセス・プロシージャをトリガして、新しいタイミング・アドバンス値を取得する。ステップＳ５０２と同様、このステップの実施にあたっては、基地局が、ＵＥの位置を既に知っているかどうかは無関係とすることができる。
【００４３】
ステップＳ５０２と、Ｓ５０３と、Ｓ５０４とのうちの１つを実行した後に、本方法５００は、ステップＳ５０５において終了する。
【００４４】
二次セルのＴＡグループをアップデートするための目的は、方法５００におけるステップＳ５０２、Ｓ５０３、またはＳ５０４を実行することにより、達成される可能性がある。しかしながら、これらのステップは、以下で考察されることになるように、ＵＥのその後のオペレーションに対して異なる影響を及ぼす。また、基地局が、ＵＥの位置ならびにネットワーク展開を知っている場合、ＴＡグループのアップデートの後の２種類の状況が存在する。
【００４５】
状況１：二次セルは、有効なＴＡ値を有する新しいＴＡグループへと変化させられる。あるいは
【００４６】
状況２：二次セルは、有効なＴＡ値を有さない新しいＴＡグループへと変化させられる。
【００４７】
これら２つの状況を考慮に入れて、上記の３つのステップは、ＵＥのオペレーションまたは基地局のオペレーションに対して異なる影響を及ぼすことになる。
【００４８】
最初に、ステップＳ５０２に関しては、少なくとも２つのＲＲＣメッセージが、「ＴＡグループ」のアップデートを実施するために必要とされる。基地局は、二次セルのインデックス、キャリア・インジケータ・フィールド（ＣＩＦ：ｃａｒｒｉｅｒ  ｉｎｄｉｃａｔｏｒ  ｆｉｅｌｄ）、スケジューリング・スキームなど、新しい情報をこの二次セルに割り当てることができる。
【００４９】
また、上記の２つの述べられた状況にもかかわらず、特定の周波数ポイントの上の現在の二次セルが、解放されるので、ＨＡＲＱバッファをフラッシュすること、ＨＡＲＱプロセスの解放などを含めて、この二次セルの上のすべてのハイブリッド自動反復要求（ＨＡＲＱ：ｈｙｂｒｉｄ  ａｕｔｏｍａｔｉｃ  ｒｅｐｅａｔ  ｒｅｑｕｅｓｔ）プロシージャが、影響を受けることになる。次いで、新しいＨＡＲＱプロセスが、同じ周波数ポイントの上でさえ、新しいセットアップ二次セルの上に確立される。
【００５０】
非アクティブ化された状態にあるべき、セットアップされる新しい二次セルでは、上記の２つの状況にもかかわらず、ＭＡＣ  ＣＥは、それを使用することができる前に、この新しいセットアップ二次セルをアクティブにする必要がある。これは、ステップＳ５０２について、基地局が、アップリンク伝送が起こることになる前に、この新しい二次セルをアクティブにする必要があり、またＰＲＡＣＨプロシージャは、状況１の場合にトリガされる必要はないことを意味している。
【００５１】
さらに、上記の状況２の場合、または基地局が、ＴＡが変化したときにＵＥの位置を知らないという場合には、ＰＲＡＣＨプロシージャは、アップリンク時間的整合の目的のために、この新しい二次セルの上でトリガされるべきであり、例えば、新しいＴＡ値は、ＭＡＣ  ＣＥまたはＰＤＣＣＨの命令（ｏｒｄｅｒ）のいずれかによって取得される。新しいＴＡが取得された後に、このＴＡ値が、既存のＴＡグループの値と同じ（ｓａｍｅ）である場合、基地局は、この二次セルを既存のＴＡグループへと再構成して、保持されるＴＡグループの数を低減させることになる。本アプリケーションにおいては、用語「同じ（ｓａｍｅ）」は、同等の意味だけでなく、必要に応じて類似した、または近似したの意味も表しており、例えば、上記文章「このＴＡ値は、既存のＴＡグループの値と同じ（ｓａｍｅ）である」の中の「同じ（ｓａｍｅ）」は、２つの値が完全に等しいことを表すことができるだけでなく、偏差が許容範囲内にある限り、２つの値が、ある種の偏差を有することもできることも表していることを指摘しておくべきである。
【００５２】
ステップＳ５０３に関しては、上記で述べられるように、ステップは、基地局が、既にＵＥの位置と、ネットワーク展開とを知っているという状況のために実行される可能性がある。それゆえに、ＴＡが変化した後に、基地局は、既に、対応する二次セルが、新しいＴＡグループに属することになるか、または既存のＴＡグループに属することになるかを知っている。このステップでは、二次セル・インデックスやＣＩＦ情報などの二次セルの情報は、変更される必要はない。ただ１つの影響は、ＴＡグループが変化した後に、現在のＴＡ値は、新しいＴＡ値へと変化させられることになる。
【００５３】
状況１では、ＴＡグループの変化に続いて、新しいＴＡ値が、既に使用可能であるときに、この二次セルが、有効なＴＡを有する既存のＴＡグループに属する場合、特別なアクションは、起こらないことになり、またＵＥは、この新しいＴＡ値に基づいて、そのアップリンク伝送オペレーションを継続することができる。この状況の下では、二次セル状態は、影響を受けないことになり、それゆえに、その進行中のＨＡＲＱプロシージャに対する影響は存在しない。この新しいＴＡ値は、明示的に基地局によってＵＥに対して送信される可能性があり、またはＵＥは、自動的に新しいＴＡ値を取ることができる。
【００５４】
他方、状況２では、有効なＴＡ値が、ＴＡグループが変化した後に使用可能でないので、二次セルの上のＵＥの現在のアップリンク伝送は、停止させられるべきであり、これは、基地局コマンドによるか、または新しいＵＥの自動動作を規定することによるかのいずれかで、行われる可能性がある。
【００５５】
それが、基地局コマンドによって行われることに関しては、以下の２つのスキームが、考えられる可能性がある。
【００５６】
スキーム１：基地局は、対応する二次セルの上でＳＲＳを構成解除することができ、またこのプロシージャは、二次セルのＴＡグループによって再構成されるＲＲＣメッセージによって行われる可能性がある。次いで、基地局は、有効なＴＡが達成された後に、ＳＲＳを再構成すべきである。スキーム１では、二次セル状態をアップデートする必要性はない。二次セルがアクティブである場合、基地局は、ＴＡグループが変化した後に、直接にＰＲＡＣＨをトリガすることができる。
【００５７】
スキーム２：基地局は、二次セルのＴＡグループの再構成メッセージを送信する前に、この二次セルを非アクティブにすることができる。このスキームでは、ＴＡグループが、変化した後に、基地局は、最初にこの二次セルをアクティブにし、アップリンク伝送を指示せず、また次いでＰＲＡＣＨプロシージャをトリガすべきである。スキーム２では、新しいＵＥオペレーションは、ＴＡグループの指示を再構成するためのＲＲＣメッセージを受信するが、ターゲットＴＡグループが、有効なＴＡ値を有さないときに、現在のＴＡ値を切り捨て、またアップリンク伝送を停止させるように規定される。このスキームでは、ＴＡグループが変化した後に、二次セル状態をアップデートする必要性はない。次いで、基地局は、二次セルが依然としてアクティブである場合に、直接にＰＤＣＣＨ命令信号方式によってＰＲＡＣＨプロシージャをトリガすることができる。
【００５８】
どのスキームが、この状況２のために使用されるかにかかわらず、この二次セルに関連したすべてのＨＡＲＱバッファをフラッシュすることが必要であるが、関連したＨＡＲＱプロセスを解放することはない。
【００５９】
ステップＳ５０４に関しては、それは、基地局が、ＵＥの位置、および／またはネットワーク展開を知っていないときに、実行される可能性がある。それゆえに、二次セルのグループＴＡが、もはや有効でないと見なされるときに、ＵＥまたは基地局のいずれかが、ＰＲＡＣＨプロシージャをトリガして、新しいＴＡ値を達成することになる。有効なＴＡが、達成される前に、この二次セルのＴＡグループについてのすべての他の二次セルのオペレーションは、ステップＳ５０２において説明されるように一時的に停止されるべきである。
【００６０】
また、この新しいＴＡ値が、別の既存の二次セルのＴＡグループと同じである場合、基地局は、保持されるＴＡグループの数を減少させる目的を用いて、ＲＲＣメッセージにより、この既存の二次セルのＴＡグループに対して、この二次セルのＴＡグループの中の各二次セルを再構成することができる。それは、ステップＳ５０３が、新しいＴＡが達成された後にトリガされることになることを意味している。
【００６１】
方法５００の３つのステップＳ５０２と、Ｓ５０３と、Ｓ５０４とについての上記説明を通して、基地局が、ＵＥの位置と、展開とを既に知っている場合には、ステップＳ５０２と、ステップＳ５０３とが、有利であることが明らかにされる。さらに、ステップＳ５０２は、状況２の場合に有利であり、またステップＳ５０３は、この状況についてのいくつかの特別なルールを規定する必要がある。ステップＳ５０３は、二次セル状態と、対応するＨＡＲＱプロシージャとに対する影響のないことに起因して、状況１の場合に有利である。ステップＳ５０４は、基地局が、ＵＥの位置または展開を知らない場合に、実行される可能性がある。新しいＴＡが、達成された後に、ステップＳ５０３が、トリガされて、保持されるＴＡグループの数を減少させることができる。
【００６２】
図６は、本発明の一実施形態による、セルのＴＡグループの変化を検出するための装置６００のブロック図を概略的に示すものである。図６に示されるように、本装置６００は、判断モジュール６０１と、判定モジュール６０２とを備えており、そこでは、判断モジュール６０１は、タイミング・アドバンス・グループの中の少なくとも１つのセルのタイミング・アドバンス値が、無効であるかどうかを判断するように構成されており、また判定モジュール６０２は、少なくとも１つのセルのタイミング・アドバンス・グループが、タイミング・アドバンス値が無効であるという判断に基づいて変化したことを判定するように構成されている。図６に示されてはいないが、当業者なら、説明の表現に従って、本装置６００は、上記複数の方法のステップを実行するように構成された対応するモジュールをさらに備えることができることを理解することができる。さらに、本装置６００は、ワイヤレス通信のための基地局およびユーザ機器の中に含まれる、または実装される可能性があり、またセルのＴＡグループが、セルのＴＡグループのアップデートのためにその後の良好なサポートを提供するように変化したときに、セルのＴＡグループが変化したかどうかを判定し、また上記複数の方法のステップを実行するために使用される。
【００６３】
要約すると、本発明の各実施形態は、添付の図面を参照して詳細に説明されてきている。本発明の実施形態は、ハードウェア、ソフトウェア、ファームウェア、モジュール、またはそれらの組合せを通して実施されることもあり（例えば、図２に示されるような方法のステップは、それらのステップを実施するための判断器または判断モジュールや判定器または判定モジュールなどのモジュールによって実施されることもあり）、あるいは本発明は、任意のデータ処理システムのために使用可能な信号搬送媒体（ｓｉｇｎａｌ  ｂｅａｒｅｒ  ｍｅｄｉｕｍ）の上で提供されるコンピュータ・プログラム製品の形で具現化されることもあることを当業者なら理解するであろう。
【００６４】
そのような信号搬送媒体は、磁気媒体、光媒体、または他の適切な媒体を含めて、コンピュータ読取り可能情報についての伝送媒体または記録可能媒体とすることができる。記録可能媒体の例は、ハード・ディスク・ドライバの中の磁気ディスクまたはフロッピー・ディスクと、ＣＤドライバのための光ディスクと、磁気テープと、当業者によって企図され得る他の媒体とを含む。
【００６５】
本発明をより包括的にするために、上記説明は、当業者に知られているいくつかのより詳細な技術的細部を省略しており、また本発明を実施するために本質的なものとすることができることに注意すべきである。
【００６６】
本発明の説明を提供するための目的は、開示された形態の内部で、本発明を説明し、また記述することであり、本発明を説明し尽くし、または限定することではない。当業者にとっては、様々な修正形態および代替形態は、明らかである。したがって、好ましい実施形態を選択すること、および説明することは、本発明の原理および実用的なアプリケーションをより良く例証することであり、また当業者が、本発明の趣旨を逸脱することなく、すべての修正形態と変更形態とが、添付の特許請求の範囲によって限定されるように、本発明の保護範囲内に含まれることを理解することを可能にすることである。
【図１】
0005916860.tif 000002
【図２】
0005916860.tif 000003
【図３】
0005916860.tif 000004
【図４】
0005916860.tif 000005
【図５】
0005916860.tif 000006
【図６】
0005916860.tif 000007